(57)【要約】【課題】熱風室に赤外線放射体を設けた穀物乾燥機に関し、遠赤外線放射体の着脱の容易化を図る。【解決手段】上部の貯留室、穀物乾燥通路を左右併設し中央側に遠赤外線放射体を配置する熱風室と外側を吸引ファンに通じる排風室に構成した乾燥室と、下部にあって乾燥作用を受けた穀物を集めて貯留室に還元すべく昇降機等の循環移送手段を設ける穀物乾燥機において、熱風室に設ける上記放射体は、入り口側を乾燥機前壁に接続し後面側を乾燥機後壁に接続して設けられ、その上面乃至下面に前後方向に亘ってスリット状に所定幅の開口を形成すると共に、上記前壁の外側にバーナを収容したバーナ風胴を設けてこのバーナ風胴を放射体入り口に連通させる。【選択図】              図１
2004177002.tif 000002
【特許請求の範囲】
【請求項１】
上部の貯留室、穀物乾燥通路を左右併設し中央側に遠赤外線放射体を配置する熱風室と外側を吸引ファンに通じる排風室に構成した乾燥室と、下部にあって乾燥作用を受けた穀物を集めて貯留室に還元すべく昇降機等の循環移送手段を設ける穀物乾燥機において、熱風室に設ける上記放射体は、入り口側を乾燥機前壁に接続し後面側を乾燥機後壁に接続して設けられ、その上面乃至下面に前後方向に亘ってスリット状に所定幅の開口を形成すると共に、上記前壁の外側にバーナを収容したバーナ風胴を設けてこのバーナ風胴を放射体入り口に連通させたことを特徴とする穀物乾燥機。
【請求項２】
上部の貯留室、穀物乾燥通路を左右併設し中央側に遠赤外線放射体を配置する熱風室と外側を吸引ファンに通じる排風室に構成した乾燥室と、下部にあって乾燥作用を受けた穀物を集めて貯留室に還元すべく昇降機等の循環移送手段を設ける穀物乾燥機において、熱風室に設ける上記放射体は、入り口側を乾燥機前壁に接続し後面側を乾燥機後壁に接続して設けられ、その上面及び下面に前後方向に亘ってスリット状に所定幅の開口を形成すべく、上記放射体を左・右半部で構成した請求項１に記載の穀物乾燥機。
【請求項３】
上部の貯留室、穀物乾燥通路を左右併設し中央側に遠赤外線放射体を配置する熱風室と外側を吸引ファンに通じる排風室に構成した乾燥室と、下部にあって乾燥作用を受けた穀物を集めて貯留室に還元すべく昇降機等の循環移送手段を設ける穀物乾燥機において、熱風室に設ける上記放射体は、入り口側を乾燥機前壁に接続し後面側を乾燥機後壁に接続して設けられ、その上面及び下面に前後方向に亘ってスリット状に所定幅の開口を、バーナに近い側において前後適宜長さに形成する請求項１に記載の穀物乾燥機。
【発明の詳細な説明】
【０００１】
【産業上の利用分野】
この発明は、熱風室に赤外線放射体を設けた穀物乾燥機に関する。
【０００２】
【従来の技術】
左右の穀粒流下通路の間の熱風室内に、一端側にバーナを連結し他端側を排風機側に延長した燃焼通路を形成すべく遠赤外線放射体を設け、この遠赤外線放射体に熱風を熱風室内に流入させる形態がある（特許文献１）。
【０００３】
【特許文献１】
特開２００２−４８４７１号公報
【０００４】
【発明が解決しようとする課題】
しかるに上記の形態では、バーナの消音効果を目的とするため、バーナの設置構成を遠赤外線放射体と一体化せざるを得ず、構成を複雑化し、ひいては遠赤外線放射体の着脱に配慮がないものとなっている。
【０００５】
【課題を解決するための手段】
この発明は上記の欠点を解消しようとするもので、次の技術的手段を講じた。即ち、請求項１に記載の発明は、上部の貯留室、穀物乾燥通路を左右併設し中央側に遠赤外線放射体を配置する熱風室と外側を吸引ファンに通じる排風室に構成した乾燥室と、下部にあって乾燥作用を受けた穀物を集めて貯留室に還元すべく昇降機等の循環移送手段を設ける穀物乾燥機において、熱風室に設ける上記放射体は、入り口側を乾燥機前壁に接続し後面側を乾燥機後壁に接続して設けられ、その上面乃至下面に前後方向に亘ってスリット状に所定幅の開口を形成すると共に、上記前壁の外側にバーナを収容したバーナ風胴を設けてこのバーナ風胴を放射体入り口に連通させたことを特徴とする。
【０００６】
機外のバーナ燃焼による火炎は外気とともに熱風となって乾燥機内の放射体内に導入され、この放射体を加熱する一方、放射体の上面乃至下面に前後方向に亘って設けたスリット状開口から出て熱風室に入り、この熱風室で放射体から出る遠赤外線放射熱と相俟って穀物を乾燥する。
【０００７】
また、請求項２に記載の発明は、上部の貯留室、穀物乾燥通路を左右併設し中央側に遠赤外線放射体を配置する熱風室と外側を吸引ファンに通じる排風室に構成した乾燥室と、下部にあって乾燥作用を受けた穀物を集めて貯留室に還元すべく昇降機等の循環移送手段を設ける穀物乾燥機において、熱風室に設ける上記放射体は、入り口側を乾燥機前壁に接続し後面側を乾燥機後壁に接続して設けられ、その上面及び下面に前後方向に亘ってスリット状に所定幅の開口を形成すべく、上記放射体を左・右半部で構成した請求項１に記載の穀物乾燥機の構成とする。
【０００８】
これによって、放射体を左・右半部の対称形状に形成して機外において左右を連結状に組み付けても、また左右を夫々独立して熱風室に装着しても、軽量となって取扱いが容易となる。
請求項３に記載の発明は、上部の貯留室、穀物乾燥通路を左右併設し中央側に遠赤外線放射体を配置する熱風室と外側を吸引ファンに通じる排風室に構成した乾燥室と、下部にあって乾燥作用を受けた穀物を集めて貯留室に還元すべく昇降機等の循環移送手段を設ける穀物乾燥機において、熱風室に設ける上記放射体は、入り口側を乾燥機前壁に接続し後面側を乾燥機後壁に接続して設けられ、その上面及び下面に前後方向に亘ってスリット状に所定幅の開口を、バーナに近い側において前後適宜長さに形成する請求項１に記載の穀物乾燥機の構成とする。
【０００９】
これによって、バーナ火炎と外気との混合による熱風は放射体に前側寄りで主として熱風室に出ると共に遠赤外線放射に寄与し、後側では主として遠赤外線放射に寄与する。
【００１０】
【発明の効果】
請求項１に記載の発明は、乾燥機壁の前後に亘って放射体を設け、この放射体にはスリット状開口をこの前後方向に備えるものであるから、バーナによって加熱された放射体からの遠赤外線放射熱とスリット状開口からの熱風とによって、穀物は効率良く乾燥されるものである。
【００１１】
又、バーナは乾燥機壁の外側に配置され、乾燥機内の前後に亘る放射体の入り口に連通する構成であるから、放射体着脱はバーナを外すことによって単体で行うことができ、従来のようにバーナ毎の着脱とならないため、簡単容易にこれを行うことができる。
【００１２】
また、請求項２に記載の発明は上記の効果に加えて、放射体を左・右半部の対称形状に形成して機外において左右を連結状に組み付けても、また左右を夫々独立して熱風室に装着しても、軽量となって取扱いが容易である。
さらに、請求項３に記載の発明は、前側よりでスリット状開口から熱風が抜けるから、放射体後側寄りに熱風が滞留し難く、当該後寄りの過熱を防止する。
【００１３】
【発明の実施の形態】
この発明の一実施の形態を図面に基づき説明する。
１は穀物乾燥装置の機枠で、内部には貯留タンク２、乾燥室３、集穀室４の順に積み重ねられる。乾燥室３内には、通気性網体５ａ，５ａを対向させて傾斜状の穀物流下通路５，５を形成し、左右一対の穀物流下通路５，５をＶ字状に形成する。各穀物流下通路５，５の上位側はさらにＶ字形状を形成すべく左右通路５，５の内側を断面菱形の空間部、即ち後記熱風室６に形成する。なお、該菱形断面の空間形成体のうち下半部は、上記のように通気網体にて形成し、逆Ｖ型の上半部は非通気性板材によって形成する。
【００１４】
上記穀物流下通路５，５の下部の左右通路の合流部には繰出バルブ７を設けてなる。該繰出バルブ７は断面円形に形成され、正逆回転に伴って外周一部に形成した導入口部７ａ，７ａから穀物を受けいれて、正逆回転連動に伴なって下方の集穀室４に落下させる構成である。
【００１５】
上記乾燥室３の菱形空間部６には、多角形状に形成され乾燥室正面側壁から後面壁に亘る長さに形成された放射体１０を機壁前面及び後面に夫々着脱自在に固定して設けている。該放射体１０の断面形状は、空間部の菱形断面に相似対応すべく上部の逆Ｖ形状と下部のＶ形状とを短い垂直部で連結する略６角形状とされ、上部尖端と下部尖端とに前後に亘るスリット状の開口１１，１２を形成する構成であり、実質的に左半部と右半部とを対向させて固定することによって形成されるものである（図３）。なお、左・右半部の前・後壁への取付けは、左右半部を跨ぐ形状の係止具２６を前壁に、左・右半部に独立的に設ける係止具２７，２７を前・後壁に夫々ボルト止めして着脱しうる構成である。
【００１６】
上記放射体１０の入り口側は、乾燥機正面側に配置するバーナ１３からの熱風を受け入れる構成である。即ち、例えば気化型バーナを所定に固定したバーナ風胴１４を機体正面側に固定し、該バーナ風胴１４と上記放射体１０入り口とは連通している。
【００１７】
機体の背面側には、吸引ファン１５を設け該ファン１５の起風によって、上記菱形空間である熱風室６から前記穀物流下通路５，５を経て該通路の各外方に形成される排風路１６，１６に向け通風すべく構成している。このファン１５は、遠心ファンに構成され、そのケーシング１７は機体背面側に構成する排風胴１８の中央部において、水平軸心Ｐ回りに回転自在に取付け変更可能に設けている。即ち、従来ファンケーシング１７に対して回転自在に設けたファンブレード１９は、上記排風胴１８に接続するベルマウス部２０の空間部を貫通する支持軸２１に支承されていて、実質的にファンケーシング１７とは独立して構成されている。なお、支持軸２１内端部にはプーリ２２を備え、図外モータによって回転駆動されるよう構成している。
【００１８】
上記のようにファンブレード１９を実質的に乾燥機機体側に支持させファンケーシング１７を該機体に対して水平軸芯Ｐ回りに回転自在に設けたため、ファンケーシング１７に接続する排風ダクト２４の向きを上・左右に変更でき、排風先が種々に変更でき乾燥機の設置位置の制約を少なくできる。なお、ファンケーシング１７の回転軸芯を水平軸回りとしたが、やや傾斜軸芯とすることも可能である。
【００１９】
集穀室４にはその中央に移送螺旋を備えた下部搬送装置２５を配設し、前記繰出バルブ７からの繰出穀物を受けて例えば機体正面側方向に移送しうる。
機体の正面側には昇降機３０を設け、内部にはバケット３０ａ，３０ａ…を備え、上記下部搬送装置２５からの穀物を掬い上げて、上部天井に設ける上部搬送装置３１始端に投てきすべく構成している。移送螺旋を備えた上部搬送装置３１の終端側における天井中央部には垂下軸３２を設け、該垂下軸３２には回転拡散盤３３を設けている。
【００２０】
前記バーナ１３の設置構造について、燃焼盤部分とケーシング部分とからなりケーシング部分には気化筒や燃焼用１次空気送風ファン等を内蔵する回転気化型バーナを採用し、これを横姿勢にしてバーナ風胴１４に収容し、バーナ火炎は機体内方側に向かうよう設置される。バーナ１３正面側の機壁には熱風通過口３５を開口している。バーナ１３の燃焼火炎は前記吸引ファン１５の回転によって乾燥用風となって熱風室６に至る構成である。
【００２１】
又バーナ風胴１４を囲うように外気導入スリット３６ａを形成した入り口風胴３６を同じく機壁正面に固定し、この前面には乾燥機用コントローラ（制御部）４０を設けている。
図１０は上記入り口風胴の正面図を示し、コントローラ４０の操作盤４１部を備えている。この操作盤４１面には張込、通風、乾燥、排出、停止の各スイッチ４２，４３，４４，４５，４６を備え、各種運転モードに切り替わるほか運転停止を司る。また、スイッチ４７は緊急スイッチで、当該スイッチ４７を操作すると機体運転部の全部を略同時に停止する。
【００２２】
これらスイッチ４２〜４７のほか、張込量を設定する張込量設定スイッチ４８、最終仕上げ水分値を設定する水分設定スイッチ４９、及び乾燥の速さを籾乾燥の場合は速い・遅い・普通を選択設定でき、他の穀物種類、例えば小麦、大麦等は品種に関連付けて予め設定した乾燥の速さに設定する乾燥設定スイッチ５０を備える。更に、乾燥仕上がりを水分値によらないで処理時間によらせるためにタイマ増・減スイッチ５１，５２を備えている。
【００２３】
水分検出手段５３は１粒水分計を採用し、所定時間間隔で所定粒数単位で水分測定し各検出結果を平均処理して水分値を算出し、前記操作盤４１面の表示部５４に検出熱風温度等とともに交代的に表示する構成である。制御部４０は併せて１粒水分値から水分バラツキを判定したり、未熟粒の多少を判定できる構成として、これらを３個のＬＥＤ５５，５６によって表示している。
【００２４】
これら操作盤４１面のスイッチ情報等を入力するほか、各種検出センサからの検出情報を入力する乾燥機の制御部４０は、前記気化型バーナの燃料供給量を制御したり、穀物の移送系手段を運転制御すべく構成している。
上例の作用について説明する。図外張込ホッパに投入された穀物は、張込スイッチ４２をＯＮすることにより駆動する昇降機３０、上部搬送装置３１等を経て貯留タンク２に張り込まれる。
【００２５】
張込完了すると、乾燥作業に移行するが、前段で穀物種類の設定や希望の乾燥仕上げ水分値をスイッチ４９及び５０によって設定する。
上記の処理が行われて乾燥スイッチ４３をＯＮすると、昇降機３０、上・下搬送装置２５，３１、繰出バルブ７等は運転を開始し、かつバーナ１３も駆動状態におかれて熱風が乾燥室３の菱形空間である熱風室６入り口に向けて供給されるものとなる。
【００２６】
ここで、バーナ火炎は吸引ファン１５の回転によって熱風化され、適宜に導入される外気と混合しながら放射体１０内に至り、該放射体１０を加熱しつつ上部及び下部に形成されたスリット状開口１１，１２を経て放射体１０の外に出る。一方放射体１０の加熱によって該放射体１０表面から遠赤外線が放射されるが、この熱放射と上記熱風とは共に流下通路５，５にある穀物に作用し、遠赤外線による輻射熱と熱風とで穀物の内部での水分移行が促進され、熱風による水分除去作用を伴って効率的な乾燥作用を行わせることができる。
【００２７】
穀物流下通路５，５の前後に亘って遠赤外線放射と熱風による乾燥作用を行わせ、該流下通路５，５を通過した熱風は、排風室１６，１６を経由して排風されることとなる。
乾燥室３で乾燥作用を受けた穀物は、集穀室４の下部搬送装置２５，昇降機３０，上部移送螺旋３１を経由して再び貯留タンク２に戻され調質作用を受ける。このような行程を繰返し、所定の水分値に達すると乾燥終了するものである。
【００２８】
上記のように、熱風室６内においては、放射体１０内に入った熱風によって該放射体１０が加熱されて遠赤外線が放射され、一方該放射体１０内の熱風は、廃熱として乾燥機外に排出されることなく、上下のスリット状開口１１，１２部から出て放射体１０の外部に至るもので、遠赤外線放射による輻射熱と熱風とが穀物流下通路５，５の穀物に作用しこれらの相乗効果で穀物は効率的に乾燥されるものである。
【００２９】
上記実施例では、放射体１０の断面形状を穀物流下通路５，５の断面形状に略沿わせて構成するものであるから、放射体１０からの遠赤外線放射を流下穀物が均等に受け易いものである。
また、上記実施例では、放射体１０を構成する構成部材を左右対称形状に構成し、上下に間隔を置いて配置することによってスリット状開口１１，１２部を構成する形態としたため、上下面双方から熱風が出て放射体１０の過熱を防止しうるものであるが、図４に示すように、上面側一方にスリット状開口１１を形成して下方側は熱風を排出せず、専らバーナ熱風によって放射体１０’下方側加熱を促進したり、逆に図５のように、下面側一方にスリット状開口１２を形成して上方側は熱風を排出せず、専らバーナ熱風によって放射体１０”上方側加熱を促進する構成とすることができる。なお２８は塵埃防止用遮蔽部材である。このような配置は穀物流下通路５，５の配置構成のほか、バーナ１３の放射体１０に対する上下位置関係に基づき、熱風の温度分布を配慮しながら適宜に採用するものである。
【００３０】
例えば放射体１０入り口に対してバーナ１３位置を標準中央位置（図６（イ））から下方に下げて配置する場合は（同図（ロ））、下方側の放射体１０加熱が促進されるため、上方側にスリット状開口１１を構成して熱風を上方側に引き出させ全体として熱風のバランスをとることができる。なお、更にバーナ１３を下方に位置させるときは（同図（ハ））、一部放射体１０下方側から熱風が溢流する関係で、上記下部スリット状開口１２の機能を備え、従ってこの場合も上面側にスリット状開口１１を配設するとよい。この場合にはスリット状開口１１部の上面を適宜間隔離れて覆うように山形の覆板６０を設けていいる。このように覆板６０を構成することによって、スリット状開口１１部からの熱風が噴出状態で直接熱風室６に至ることがなく、一旦該覆板６０で反射されてからその勢いを緩和されつつ熱風室６に至るもので、局部的な乾燥むら等を生じさせない。
【００３１】
バーナ１３の配置位置を逆に上方側に上げて配置する場合は上記と逆の関係に設けるとよい。
また図７、及び図８はスリット状開口１１’，１２’を放射体１０のバーナ１３配置側に近い前側に形成して、バーナ１３からの熱風をその直後で放射体１０加熱に供するものとし、併せてその熱風を放射体１０の外側に移行させるものである。このように構成すると、比較的高温状態の熱風の一部は放射体１０加熱後直ちに放射体１０から出る関係となって、比較的温度の安定した熱風が放射体１０後半を加熱する一方、熱風室６への熱風の供給が安定する。
【００３２】
図１２は穀物流下通路５，５の面する側の一部をガラス部材６１で構成することによって遠赤外線放射の吸収効率を向上させるものである。即ち、通気性部材によって構成する穀物流下通路５，５の一部をガラス部材６１に構成する。図例では穀物流下通路５，５の下部側をガラス部材６１に構成して遠赤外線放射熱の吸収促進を図っているが、ガラス部材６１の配設位置は上方にあってその後熱風を流通させる形態とすると、穀物の水分移行を促進した後に熱風によって水分除去することとなって効率的である。
【００３３】
図１３，１４は、バーナ１３を装着するバーナ風胴１４と乾燥機の前側壁に形成する外気導入孔８０との関係に照らし、該導入孔８０が必要な乾燥機形態と、この導入孔が不要もしくは制限する乾燥機形態とに仕分けてバーナ風胴１４ａ、１４ｂを構成することによって、当該バーナ風胴１４ａ又は１４ｂの装着をもって必要な外気導入孔形態を得ようとするものである。即ち、熱風室６入り口孔を形成する乾燥前壁１Ａに、第１仕様のバーナ風胴１４ａと第２仕様のバーナ風胴１４ｂを同一の装着構成、例えば上下左右同位置にボルト装着用孔８１を形成し、乾燥機前壁１Ａには第１仕様に対応すべく外気導入孔８０を形成する。第１仕様のバーナ風胴１４ａは、外気導入孔８０を用いて外気を導入する形態であるから、これら導入孔８０を全面開放しうるよう施蓋状としないものとし、一方第２仕様のバーナ１４ｂは、これら外気導入を不要とする形態であるから装着導入孔を施蓋状となるようフランジ部８１面積を大きく形成するものである。このように構成することによって、第１または第２仕様の選択をバーナ風胴によって決定すれば、併せて外気導入仕様を決定でき後の施蓋工程を省略できて便利である。なお、外気導入孔形態を一部施蓋状とすることも容易に対応できるものである。上記第１仕様の例としては、上記実施形態のような放射体を備える乾燥機に適用し、更に内部の温度分布状態を確認しながら導入孔形態を種々に変更設定できる形態としてもよい。
【００３４】
図１６は貯留タンク２に配設される張棒７０の構成を示すものである。従来、一端に螺子部ａを形成し、他端を係合用に折り曲げ形成した張棒ｂを前後乃至左右の貯留部タンクｃ壁に架け渡して一端の螺子部ａにナット部材ｅを螺合して固定する形態（図１５）があるが、補強を兼ねる桟部材ｆにスペーサ部材ｇが乗り上げて締め付けに不便であった。このため、丸棒筒形状の張棒７０をその両端部でボルト部材７１によって締め付け固定するにあたり、スペーサ部材ｇに代えて円筒形状のカラー７２を介して締め付けする構成とすることによって、桟部材７３に乗り上げることもなくなり、かつ構成を簡単に然も取付けの容易化がはかれるものとなった。
【００３５】
又、図１８は貯留部タンク２等のコーナ部を各形成する壁部を係合固定するためのくさび体の構成に係る。従来平面視直角に連結するタンク壁ｈの各端部には接合用の平面視Ｌ型の接合部材ｉを延設し、このうち重合する一面にＬ型くさび受けｊを貫通状に設け、そのタンク外側面に位置する貫通孔ｋにくさびｍを挿通して固定する構成である（図１７）が、矢印（ニ）方向にのみ引っ張り作用を伴う形態となるから、例えば他の接合部ｎに隙間が生じるなどの欠点があった。
【００３６】
然るに図１８に示すものは、くさび受け７４の片面をテーパ状７５に形成する構成とすることによって、くさび７６の打ち込みに伴い、他側のＬ型接合金具７７，７８を重合状に圧接させる構成となっている。
図１９は、穀物乾燥機の例えば昇降機３０途中に配設する前記水分検出手段５３を利用して穀物排出を自動停止する構成の改良に係るものである。即ち、乾燥機の前記移送螺旋を収容する上部搬送装置３１の始端部側に開閉シャッタ８２を介して排出シュート８３により機外適所に排出しうる構成としている。この排出作動は前記操作盤４１に配設した排出スイッチ４５の操作によるものである。この穀物排出は繰出バルブ７よりも高面に穀物が存在するときは定常流的に排出されて所定の流量が確保されるが、繰出バルブ７以下になると排出量は漸次減少し、ついには全排出を終えるものとなるが、機内にはどうしても残粒を生じて所定未満の穀粒は排出され得ない。このため従来のように目視判定して作業者の勘にたよって排出を停止すべく停止スイッチ４６を操作するようになっていた。
【００３７】
上記水分検出手段５２には一粒取込機構８４を備え、一対の電極ロール８５，８５間に順次供給しうる構成とし、このロール間の電気的抵抗値によって穀物水分に換算している。
ところで、この排出指令信号が供給されると、水分検出手段５３を作動する。予め設定した粒数を測定する時間を測定し、この基準時間Ｔｓを記憶し、一定時間後に水分検出手段５３を動作させ同様に定められた粒数を測定する時間を測定して、この時間Ｔｎと上記時間Ｔｓとの比較によって穀物排出終了情報を得ようとするものである。具体的には、上記基準時間Ｔｓと測定時間Ｔｎとの比Ｔｎ／Ｔｓが所定値（Ｅ）以下に達すると自動的に排出スイッチをオフの状態にし、排出終了となす構成である（図２０）。
【００３８】
このように構成すると、個々の機械のばらつきにより水分検出手段５３への取込粒数に要する時間がまちまちであっても、排出工程に入ると所定粒数の確認を行い得て精度高く排出管理を行うことができる。
また、図２１に示すものは別例であり、上記の所定粒数における排出中測定時間Ｔｎが、予め設定した所定時間ＴＥと比較の結果、Ｔｎ≧ＴＥの条件のときは排出終了信号を出力しようとするものである。なお、このときの予め設定する時間ＴＥは、標準的な排出処理量を知って理論的に求める方法もよいが、実測を行い所定粒数取り込みに要する時間ＴＥ１，ＴＥ２…ＴＥｎの平均値ＴＥａｖｅをもって上記条件式にあてはめるようにすると乾燥機個々のばらつきに影響されない値を採用することができて便利である。
【００３９】
更に、図２２は乾燥用熱風の流通に伴い舞い上がる塵埃を捕捉する手段の構成に係るものである。即ち、穀物流下通路８５，８５の外側を熱風室８６に構成し内側を吸引ファン８７に通じる排風室８８に構成するものである。加えてバーナ（図示せず）の噴風口は左右側熱風室８６の片方側に構成され、他方の熱風室８６には繰出バルブ９０と下部搬送装置９１の移送螺旋との間隔部を左右流通能に構成して当該片方の熱風室８６に供給される熱風を分岐供給可能に構成している。このように構成した熱風の供給経路途中であって、傾斜板９２からなる仕切り部材の下方空間９３の一、即ち熱風を分岐供給しうる位置に浮遊塵埃を捕捉する捕捉手段としての捕捉ボックス９４を備えている。このように構成することにより、熱風室８６から排風室８８に熱風が供給される間に穀物中に浮遊する塵埃類は、捕捉ボックス９４に受けられて後に回収される。
【図面の簡単な説明】
【図１】穀物乾燥機の全体側断面図である。
【図２】穀物乾燥機の正面図である。
【図３】放射体の斜視図である。
【図４】異なる例の放射体の斜視図である。
【図５】異なる例の放射体の斜視図である。
【図６】放射体正断面図である。
【図７】更に異なる例の放射体の斜視図である。
【図８】更に異なる例の放射体の斜視図である。
【図９】吸引ファン部の（イ）背面図、及び（ロ）側面図である。
【図１０】操作盤正面図である。
【図１１】制御ブロック図である。
【図１２】別例を示す穀物乾燥機の正断面図である。
【図１３】バーナ風胴の装着状態を示す正面図である。
【図１４】バーナ風胴の装着状態を示す（イ）正面図、及び（ロ）側断面図である。
【図１５】従来の張棒装着状態を示す断面図である。
【図１６】改良後の張棒装着状態を示す（イ）正面図、及び（ロ）Ａ−Ａ断面図である。
【図１７】従来のタンク側壁装着状態を示す平断面図である。
【図１８】改良後のタンク側壁装着状態を示す（イ）平断面図、及び（ロ）斜視図である。
【図１９】フローチャートである。
【図２０】タイムチャートである。
【図２１】タイムチャートである。
【図２２】異なる例を示す穀物乾燥機の正断面図である。
【符号の説明】
２…貯留室、３…乾燥室、５，５…穀物乾燥通路、６…熱風室、１０…放射体、１１，１２…スリット状開口、１５…吸引ファン
【図１】
2004177002.tif 000003
【図２】
2004177002.tif 000004
【図３】
2004177002.tif 000005
【図４】
2004177002.tif 000006
【図５】
2004177002.tif 000007
【図６】
2004177002.tif 000008
【図７】
2004177002.tif 000009
【図８】
2004177002.tif 000010
【図９】
2004177002.tif 000011
【図１０】
2004177002.tif 000012
【図１１】
2004177002.tif 000013
【図１２】
2004177002.tif 000014
【図１３】
2004177002.tif 000015
【図１４】
2004177002.tif 000016
【図１５】
2004177002.tif 000017
【図１６】
2004177002.tif 000018
【図１７】
2004177002.tif 000019
【図１８】
2004177002.tif 000020
【図１９】
2004177002.tif 000021
【図２０】
2004177002.tif 000022
【図２１】
2004177002.tif 000023
【図２２】
2004177002.tif 000024